(57)【要約】  キャリアアグリゲーションをサポートするＬＴＥ(Ｌｏｎｇ Ｔｅｒｍ Ｅｖｏｌｕｔｉｏｎ)システムで、ダウンリンクタイミング設定及びランダムアクセス応答メッセージ送信方法を提供する。本発明において端末のタイミング調整方法は、基地局にランダムアクセスプリアンブルを送信する段階；及びアップリンクタイミング調整をコマンドするタイミングアドバンスコマンド(Ｔｉｍｉｎｇ Ａｄｖａｎｃｅ Ｃｏｍｍａｎｄ、ＴＡＣ)を含むランダムアクセス応答メッセージを上記基地局から受信する段階を含み、上記ランダムアクセス応答メッセージは、上記タイミングアドバンスコマンドを適用するタイミングアドバンスグループ情報(Ｔｉｍｉｎｇ Ａｄｖａｎｃｅ Ｇｒｏｕｐ、ＴＡＧ)をさらに含むことを特徴とする。
2014514840.tif 000002
【特許請求の範囲】
【請求項１】
少なくとも１つ以上のキャリアアグリゲーションをサポートする無線通信システムで、端末のタイミング調整方法であって、
基地局にランダムアクセスプリアンブルを送信する段階；及び
アップリンクタイミング調整をコマンドするタイミングアドバンスコマンド(Ｔｉｍｉｎｇ Ａｄｖａｎｃｅ Ｃｏｍｍａｎｄ、ＴＡＣ)を含むランダムアクセス応答メッセージを前記基地局から受信する段階を含み、
前記ランダムアクセス応答メッセージは、前記タイミングアドバンスコマンドを適用するタイミングアドバンスグループ情報(Ｔｉｍｉｎｇ Ａｄｖａｎｃｅ Ｇｒｏｕｐ、ＴＡＧ)をさらに含むことを特徴とするタイミング調整方法。
【請求項２】
前記ランダムアクセス応答メッセージは,
前記タイミングアドバンスグループ情報を少なくとも１つ以上含み、それぞれのタイミングアドバンスグループに対する前記タイミングアドバンスコマンドを含むことを特徴とする、請求項１に記載のタイミング調整方法。
【請求項３】
前記ランダムアクセス応答メッセージの受信段階以後に,
前記タイミングアドバンスグループに属する少なくとも１つ以上のキャリアに対して、前記タイミングアドバンスコマンドを適用してアップリンクタイミングを調整する段階をさらに含むことを特徴とする、請求項1に記載のタイミング調整方法。
【請求項４】
前記ランダムアクセス応答メッセージ受信段階以後に,
別途のタイミングアドバンスコマンド及び前記タイミングアドバンスコマンドを適用するタイミングアドバンスグループ情報を含むタイミング調整制御信号(Ｔｉｍｉｎｇ Ａｄｖａｎｃｅ Ｃｏｍｍａｎｄ ＭＡＣ Ｃｏｎｔｒｏｌ Ｅｌｅｍｅｎｔ、ＴＡＣ ＭＡＣ ＣＥ)を前記基地局から受信した場合、前記タイミングアドバンスグループに属する少なくとも１つ以上のキャリアに対して、前記タイミングアドバンスコマンドを適用してアップリンクタイミングを調整する段階をさらに含むことを特徴とする、請求項３に記載のタイミング調整方法。
【請求項５】
前記ランダムアクセスプリアンブルを送信する段階以前に、
前記端末が最後に前記ランダムアクセスプリアンブルの送信に成功したキャリアまたは前記ランダムアクセスプリアンブル送信のためのチャンネル情報が設定されたキャリアを基づいて前記プリアンブルを送信するタイミングを調整する段階をさらに含むことを特徴とする、請求項１に記載のタイミング調整方法。
【請求項６】
少なくとも１つ以上のキャリアアグリゲーションをサポートする無線通信システムで、基地局のタイミング調整方法であって、
端末からランダムアクセスプリアンブルを受信する段階；及び
アップリンクタイミング調整をコマンドするタイミングアドバンスコマンド(Ｔｉｍｉｎｇ Ａｄｖａｎｃｅ Ｃｏｍｍａｎｄ、ＴＡＣ)を含むランダムアクセス応答メッセージを前記端末に送信する段階を含み、
前記ランダムアクセス応答メッセージは、前記タイミングアドバンスコマンドを適用するタイミングアドバンスグループ情報(Ｔｉｍｉｎｇ Ａｄｖａｎｃｅ Ｇｒｏｕｐ、ＴＡＧ)をさらに含むことを特徴とするタイミング調整方法。
【請求項７】
前記ランダムアクセス応答メッセージは,
前記タイミングアドバンスグループ情報を少なくとも１つ以上含み、それぞれのタイミングアドバンスグループに対する前記タイミングアドバンスコマンドを含むことを特徴とする、請求項６に記載のタイミング調整方法。
【請求項８】
前記ランダムアクセス応答メッセージの送信段階以後に、
アップリンクタイミングの追加調整が必要な場合、別途のタイミングアドバンスコマンド(Ｔｉｍｉｎｇ Ａｄｖａｎｃｅ Ｃｏｍｎｎａｎｄ、ＴＡＣ)及び前記タイミングアドバンスコマンドを適用するタイミングアドバンスグループ情報を含むタイミング調整制御信号(Ｔｉｍｉｎｇ Ａｄｖａｎｃｅ Ｃｏｍｍａｎｄ ＭＡＣ Ｃｏｎｔｒｏｌ Ｅｌｅｍｅｎｔ、ＴＡＣ ＭＡＣ ＣＥ)を前記端末に送信する段階をさらに含むことを特徴とする、 請求項７に記載のタイミング調整方法。
【請求項９】
少なくとも１つ以上のキャリアアグリゲーションをサポートする無線通信システムで、信号の送受信タイミングを調整する端末であって、
基地局と信号を送受信する送受信機；及び
基地局にランダムアクセスプリアンブルを送信し、アップリンクタイミング調整をコマンドするタイミングアドバンスコマンド(Ｔｉｍｉｎｇ Ａｄｖａｎｃｅ Ｃｏｍｍａｎｄ、ＴＡＣ)を含むランダムアクセス応答メッセージを前記基地局から受信するように制御する制御部を含み、
前記ランダムアクセス応答メッセージは、前記タイミングアドバンスコマンドを適用するタイミングアドバンスグループ情報(Ｔｉｍｉｎｇ Ａｄｖａｎｃｅ Ｇｒｏｕｐ、ＴＡＧ)をさらに含むことを特徴とするタイミング調整方法。
【請求項１０】
前記ランダムアクセス応答メッセージは、
前記タイミングアドバンスグループ情報を少なくとも１つ以上含み、それぞれのタイミングアドバンスグループに対する前記タイミングアドバンスコマンドを含むことを特徴とする、請求項９に記載の端末。
【請求項１１】
前記制御部は,
前記ランダムアクセス応答メッセージを受信すると、前記タイミングアドバンスグループに属する少なくとも１つ以上のキャリアに対して、前記タイミングアドバンスコマンドを適用してアップリンクタイミングを調整することを特徴とする、請求項１０に記載の端末。
【請求項１２】
前記制御部は,
別途のタイミングアドバンスコマンド及び前記タイミングアドバンスコマンドを適用するタイミングアドバンスグループ情報を含むタイミング調整制御信号(Ｔｉｍｉｎｇ Ａｄｖａｎｃｅ Ｃｏｍｍａｎｄ ＭＡＣ Ｃｏｎｔｒｏｌ Ｅｌｅｍｅｎｔ、ＴＡＣ ＭＡＣ ＣＥ)を受信するように制御して、前記タイミング調整制御信号を受信すると、前記タイミングアドバンスグループに属する少なくとも１つ以上のキャリアに対して、前記タイミングアドバンスコマンドを適用してアップリンクタイミングを調整することを特徴とする、 請求項１１に記載の端末。
【請求項１３】
前記制御部は,
前記端末が最後に前記ランダムアクセスプリアンブル送信に成功したキャリアまたは前記ランダムアクセスプリアンブル送信のためのチャンネル情報が設定されたキャリアを基づいて前記プリアンブルを送信するタイミングを調整することを特徴とする、 請求項９に記載の端末。
【請求項１４】
少なくとも１つ以上のキャリアアグリゲーションをサポートする無線通信システムで、信号の送受信タイミングを調整する基地局であって,
端末と信号を送受信する送受信機；及び
端末からランダムアクセスプリアンブルを受信して、アップリンクタイミングの調整をコマンドするタイミングアドバンスコマンド(Ｔｉｍｉｎｇ Ａｄｖａｎｃｅ Ｃｏｍｍａｎｄ、ＴＡＣ)を含むランダムアクセス応答メッセージを前記端末に送信するように制御する制御部を含み、
前記ランダムアクセス応答メッセージは、前記タイミングアドバンスコマンドを適用するタイミングアドバンスグループ情報(Ｔｉｍｉｎｇ Ａｄｖａｎｃｅ Ｇｒｏｕｐ、ＴＡＧ)をさらに含むことを特徴とする基地局。
【請求項１５】
前記ランダムアクセス応答メッセージは、
前記タイミングアドバンスグループ情報を少なくとも１つ以上含み、それぞれのタイミングアドバンスグループに対する前記タイミングアドバンスコマンドを含むことを特徴とする、請求項１４に記載の基地局。
【請求項１６】
前記制御部は、
前記アップリンクタイミングの追加調整が必要な場合、別途のタイミングアドバンスコマンド(Ｔｉｍｉｎｇ Ａｄｖａｎｃｅ Ｃｏｍｎｎａｎｄ、ＴＡＣ) 及び前記タイミングアドバンスコマンドを適用するタイミングアドバンスグループ情報を含むタイミング調整制御信号(Ｔｉｍｉｎｇ Ａｄｖａｎｃｅ Ｃｏｍｍａｎｄ ＭＡＣ Ｃｏｎｔｒｏｌ Ｅｌｅｍｅｎｔ、ＴＡＣ ＭＡＣ ＣＥ)を前記端末に送信するように制御することを特徴とする、請求項１５に記載の基地局。
【発明の詳細な説明】
【技術分野】
【０００１】
本発明は、無線通信システムに関し、よく詳しくはキャリアアグリゲーションをサポートするＬＴＥ(Ｌｏｎｇ Ｔｅｒｍ Ｅｖｏｌｕｔｉｏｎ)システムで、ダウンリンクタイミング設定及びランダムアクセス応答メッセージ送信方法に関する。
【背景技術】
【０００２】
近年、無線通信技術は急激な発展を成した。これに加えられ、通信システム技術も進化を重ねた。この中、現在４世代移動通信技術として脚光を浴びるシステムがＬＴＥシステムである。ＬＴＥシステムでは、急増するトラフィック需要を満たすために多様な技術が導入された。そのなかの１つがキャリアアグリゲーション(Ｃａｒｒｉｅｒ Ａｇｇｒｅｇａｔｉｏｎ)である。キャリアアグリゲーションとは、既存の通信で端末機(ＵＥ、以下、「端末」と記す)と基地局(ｅＮＢ、以下、「基地局」と記す)の間で１つのキャリアだけ用いたことを、プライマリキャリアと１つ、或いは複数個のセカンダリキャリアを用いてセカンダリキャリアの個数ほど、送信量を画期的にふやすことができる 。一方、ＬＴＥではプライマリキャリアをＰＣｅｌｌ(Ｐｒｉｍａｒｙ Ｃｅｌｌ)と称し、セカンダリキャリアをＳＣｅｌｌ(Ｓｅｃｏｎｄａｒｙ Ｃｅｌｌ)と称する。
【０００３】
一方、中継機及びリモートラジオヘッド(Ｒｅｍｏｔｅ Ｒａｄｉｏ Ｈｅａｄ)導入等によりプライマリキャリアとセカンダリキャリアを用いる基地局の装備位置が変化する場合、アップリンクの送信の時点が変化すべき場合がある。例えば、プライマリキャリアを用いる基地局装備とセカンダリキャリアを用いる装備の位置が相違する場合、端末の位置に応じてより遠く離れている基地局装備へのアップリンク信号をより先ず送信するべきなどの問題が生ずる。
【０００４】
このような場合、複数個のアップリンクタイミングが存在する場合、それぞれのアップリンクタイミングに対して基準信号が必要である。これによって如何なるセルからのダウンリンク信号をダウンリンクタイミング基準信号(Ｄｏｗｎｌｉｎｋ Ｔｉｍｉｎｇ Ｒｅｆｅｒｅｎｃｅ)で設定すべきかに対する定義が必要である。
【０００５】
それだけでなく、実際アップリンクタイミングのためにランダムアクセスを実行する際、端末がランダムアクセスプリアンブルを送信した以後、基地局がアップリンクタイミング情報を含むランダムアクセス応答メッセージを送信する際、 如何なるキャリアから受信したプリアンブルなのかに対する情報が現在はなく、これを明確にする必要がある。
【発明の概要】
【発明が解決しようとする課題】
【０００６】
上述したように、複数個のアップリンクタイミングが存在する場合、それぞれのアップリンクタイミングに対して基準信号が必要である。これによって如何なるセルからのダウンリンク信号をダウンリンクタイミング基準信号(Ｄｏｗｎｌｉｎｋ Ｔｉｍｉｎｇ Ｒｅｆｅｒｅｎｃｅ)で設定するべきかに対する定義が必要である。
【０００７】
それだけでなく、実際アップリンクタイミングのためにランダムアクセスを実行する際、端末がランダムアクセスプリアンブルを送信した以後、基地局がアップリンクタイミング情報を含むランダムアクセス応答メッセージを送信する際、 如何なるキャリアから受信したプリアンブルなのかに対する情報が現在はなく、これを明確とする必要がある。
【課題を解決するための手段】
【０００８】
本発明の実施形態は、無線移動通信システムでキャリアアグリゲーションを用いる場合、複数個のアップリンクタイミング管理をする際、 如何なるダウンリンク信号をダウンリンクタイミング基準信号とするかと、ランダムアクセス過程で基地局がアップリンクタイミング調整のためにタイミングアドバンス情報を指示する際、 如何なるセルを基準で取ったタイミングに対する情報なのかを含むメッセージを送信する方法を提供する。
【０００９】
また、本発明の他の実施形態は、無線通信システムでキャリアアグリゲーションを用いる場合、キャリアグループ別に別途のアップリンク送信タイミングを持つ場合、それぞれのキャリアグループに対するダウンリンク基準セルを設定する方法を提供する。また、特定キャリアグループに対するアップリンク送信タイミングを合わせるために端末がランダムアクセスを試みる際、基地局でこれに対する応答メッセージを定義する。
【００１０】
本発明の一実施形態によれば、端末のタイミング調整方法は、基地局にランダムアクセスプリアンブルを送信する段階；及びアップリンクタイミング調整をコマンドするタイミングアドバンスコマンド(Ｔｉｍｉｎｇ Ａｄｖａｎｃｅ Ｃｏｍｍａｎｄ、ＴＡＣ)を含むランダムアクセス応答メッセージを上記基地局から受信する段階を含み、上記ランダムアクセス応答メッセージは、上記タイミングアドバンスコマンドを適用するタイミングアドバンスグループ情報(Ｔｉｍｉｎｇ Ａｄｖａｎｃｅ Ｇｒｏｕｐ、ＴＡＧ)をさらに含むことを特徴とする。
【００１１】
本発明の他の実施形態によれば、本発明の基地局のタイミング調整方法は端末からランダムアクセスプリアンブルを受信する段階；及びアップリンクタイミング調整をコマンドするタイミングアドバンスコマンド(Ｔｉｍｉｎｇ Ａｄｖａｎｃｅ Ｃｏｍｍａｎｄ、ＴＡＣ)を含むランダムアクセス応答メッセージを上記端末に送信する段階を含み、上記ランダムアクセス応答メッセージは、上記タイミングアドバンスコマンドを適用するタイミングアドバンスグループ情報(Ｔｉｍｉｎｇ Ａｄｖａｎｃｅ Ｇｒｏｕｐ、ＴＡＧ)をさらに含むことを特徴とする。
【００１２】
本発明の他の実施形態によれば、本発明のタイミングを調整する端末は、基地局と信号を送受信する送受信機；及び基地局にランダムアクセスプリアンブルを送信し、アップリンクタイミング調整をコマンドするタイミングアドバンスコマンド(Ｔｉｍｉｎｇ Ａｄｖａｎｃｅ Ｃｏｍｍａｎｄ、ＴＡＣ)を含むランダムアクセス応答メッセージを上記基地局から受信するように制御する制御部を含み、上記ランダムアクセス応答メッセージは、上記タイミングアドバンスコマンドを適用するタイミングアドバンスグループ情報(Ｔｉｍｉｎｇ Ａｄｖａｎｃｅ Ｇｒｏｕｐ、ＴＡＧ)をさらに含むことを特徴とする。
【００１３】
本発明の他の実施形態によれば、発明のタイミングを調整する基地局は、端末と信号を送受信する送受信機；及び端末からランダムアクセスプリアンブルを受信して、アップリンクタイミング調整をコマンドするタイミングアドバンスコマンド(Ｔｉｍｉｎｇ Ａｄｖａｎｃｅ Ｃｏｍｍａｎｄ、ＴＡＣ)を含むランダムアクセス応答メッセージを上記端末に送信するように制御する制御部を含み、上記ランダムアクセス応答メッセージは、上記タイミングアドバンスコマンドを適用するタイミングアドバンスグループ情報(Ｔｉｍｉｎｇ Ａｄｖａｎｃｅ Ｇｒｏｕｐ、ＴＡＧ)をさらに含むことを特徴とする。
【００１４】
本発明によれば、無線移動通信システムでキャリアアグリゲーションを用いる場合、複数個のアップリンクタイミング管理をする際、如何なるダウンリンク信号をダウンリンクタイミング基準信号とするかと、ランダムアクセス過程で基地局がアップリンクタイミング調整のためにタイミングアドバンス情報を指示する際、 如何なるセルを基準で取ったタイミングに対する情報なのかを含むメッセージを送信する方法を提供することができる。
【図面の簡単な説明】
【００１５】
【図１】本発明が適用されるＬＴＥシステムの構造を示した図面である。
【図２】本発明が適用されるＬＴＥシステムで無線プロトコル構造を示した図面である。
【図３】端末でキャリアアグリゲーションを説明するための図面である。
【図４】本発明でＯＦＤＭ多重化方式を適用した３ＧＰＰ ＬＴＥシステムにおけるアップリンクタイミング同期化手続きの必要性及び役目を示した図面である。
【図５】キャリアアグリゲーションをサポートするシステムでプライマリキャリアとセカンダリキャリアの間の装置位置が相違する場合を説明するための図面である。
【図６】本発明で提案する基地局と端末機の間のシグナリングフローと端末機動作に対する図面である。
【図７】本発明が適用された端末機動作フローチャートである。
【図８】本発明が適用された基地局動作フローチャートである。
【図９ａ】提案するＲＡＲとＴＡＣ ＭＡＣ ＣＥフォーマット図面である。
【図９ｂ】提案するＲＡＲとＴＡＣ ＭＡＣ ＣＥフォーマット図面である。
【図９ｃ】提案するＲＡＲとＴＡＣ ＭＡＣ ＣＥフォーマット図面である。
【図９ｄ】提案するＲＡＲとＴＡＣ ＭＡＣ ＣＥフォーマット図面である。
【図９ｅ】提案するＲＡＲとＴＡＣ ＭＡＣ ＣＥフォーマット図面である。
【図１０】本発明が適用された端末の装置図面である。
【図１１】本発明が適用された基地局の装置図面である。
【発明を実施するための形態】
【００１６】
以下、本発明を説明することにおいて、関連する公知機能又は構成に対する具体的な説明が本発明の要旨を不明瞭にすると判断される場合には、その詳細な説明を省略する。以下、添付の図面を参照して本発明の実施形態を説明する。
【００１７】
本発明は、マルチキャリアがアグリゲーションをサポートする端末がセカンダリキャリアを活性化する方法及び装置に関する。  
【００１８】
図１は、本発明が適用されるＬＴＥシステムの構造を示した図面である。
【００１９】
図１を参照すれば、示されたように、ＬＴＥシステムの無線アクセスネットワークは、次世代基地局(Ｅｖｏｌｖｅｄ Ｎｏｄｅ Ｂ、以下、「ｅＮＢ、Ｎｏｄｅ Ｂ」 又は「基地局」)１０５、１１０、１１５、１２０とＭＭＥ(１２５；Ｍｏｂｉｌｉｔｙ Ｍａｎａｇｅｍｅｎｔ Ｅｎｔｉｔｙ)及びＳ−ＧＷ(１３０；Ｓｅｒｖｉｎｇ−Ｇａｔｅｗａｙ)から構成される。ユーザ端末(Ｕｓｅｒ Ｅｑｕｉｐｍｅｎｔ、以下、「ＵＥ」又は「端末」)１３５はｅＮＢ１０５ 〜１２０及びＳ−ＧＷ１３０を介して外部ネットワークに接続する。
【００２０】
図１でｅＮＢ１０５〜１２０は、ＵＭＴＳシステムの既存ノードＢに対応される。ｅＮＢはＵＥ１３５と無線チャンネルで接続され、既存ノードＢより複雑な役目を実行する。ＬＴＥシステムではインターネットプロトコルを介するＶｏＩＰ(Ｖｏｉｃｅ ｏｖｅｒ ＩＰ)のようなリアルタイムサービスを含むすべてのユーザトラフィックが共用チャンネル(ｓｈａｒｅｄ ｃｈａｎｎｅｌ)を介してサービスされるので、ＵＥのバッファ状態、使用可能電力状態、チャンネル状態等の状況情報に基づいてスケジューリングをする装置が必要であり、これをｅＮＢ１０５〜１２０が担当する。
【００２１】
１つのｅＮＢは、通常多数のセルを制御する。例えば、最大１００Ｍｂｐｓの伝送速度を具現するためにはＬＴＥシステムは最大２０ＭＨｚ帯域幅で直交周波数分割多重方式(Ｏｒｔｈｏｇｏｎａｌ Ｆｒｅｑｕｅｎｃｙ Ｄｉｖｉｓｉｏｎ Ｍｕｌｔｉｐｌｅｘｉｎｇ、以下、「ＯＦＤＭ」と記す)を無線接続技術として用いる。また、端末のチャンネル状態に合わせて変調方式(ｍｏｄｕｌａｔｉｏｎ ｓｃｈｅｍｅ)とチャンネルコーディング率(ｃｈａｎｎｅｌ ｃｏｄｉｎｇ ｒａｔｅ)を決める適応変調コーディング(Ａｄａｐｔｉｖｅ Ｍｏｄｕｌａｔｉｏｎ & Ｃｏｄｉｎｇ、以下、「ＡＭＣ」と記す)方式を適用する。
【００２２】
Ｓ−ＧＷ１３０は、データベアラーを提供する装置であり、ＭＭＥの制御に応じてデータベアラーを生成したり除去する。ＭＭＥは端末に対する移動性管理機能は勿論、各種制御機能を担当する装置で多数の基地局１０５、１１０、１１５、１２０と接続される。
【００２３】
図２は、本発明が適用されるＬＴＥシステムで無線プロトコル構造を示した図面である。
【００２４】
図２を参照すれば、ＬＴＥシステムの無線プロトコルはＵＥとｅＮＢでそれぞれＰＤＣＰ(Ｐａｃｋｅｔ Ｄａｔａ Ｃｏｎｖｅｒｇｅｎｃｅ Ｐｒｏｔｏｃｏｌ；２０５、２４０)、ＲＬＣ(Ｒａｄｉｏ Ｌｉｎｋ Ｃｏｎｔｒｏｌ；２１０、２３５)、ＭＡＣ(Ｍｅｄｉｕｍ Ａ ｃｃｅｓｓ Ｃｏｎｔｒｏｌ；２１５、２３０)からなる。
【００２５】
ＰＤＣＰ(Ｐａｃｋｅｔ Ｄａｔａ Ｃｏｎｖｅｒｇｅｎｃｅ  Ｐｒｏｔｏｃｏｌ；２０５、２４０)は、ＩＰヘッダー圧縮／復元等の動作を担当して、無線リンク制御(Ｒａｄｉｏ  Ｌｉｎｋ  Ｃｏｎｔｒｏｌ、以下、「ＲＬＣ」と記す)２１０、２３５は、ＰＤＣＰ ＰＤＵ(Ｐａｃｋｅｔ Ｄａｔａ Ｕｎｉｔ)を適切な大きさに再構成してＡＲＱ(Ａｕｔｏｍａｔｉｃ Ｒｅｐｅａｔ ｒｅＱｕｅｓｔ)動作などを実行する。ＡＲＱ動作は送信端から送信したパケットが受信端にまともに伝達されたのか確認し、もし過ち伝達した場合、再送信する一連の動作を意味する。
【００２６】
ＭＡＣ２１５、２３０は１つの端末に構成された幾つかのＲＬＣ階層装置と接続され、ＲＬＣ ＰＤＵをＭＡＣ ＰＤＵに多重化して、ＭＡＣ ＰＤＵからＲＬＣ ＰＤＵを逆多重化する動作を実行する。
【００２７】
物理階層２２０、２２５は、上位階層データをチャンネルコーディング及び変調して、ＯＦＤＭシンボルで作って無線チャンネルで送信したり、無線チャンネルを介して受信したＯＦＤＭシンボルを復調してチャンネルデコーディングして上位階層へ伝達する動作をする。また、物理階層でも追加的なエラー訂正のために、ＨＡＲＱ(Ｈｙｂｒｉｄ ＡＲＱ)を使用しており、受信端では送信端から送信したパケットを受信するか否かを１ビットで送信する。これをＨＡＲＱ ＡＣＫ／ＮＡＣＫ情報という。
【００２８】
図３は、端末でキャリアアグリゲーションを説明するための図面である。
【００２９】
図３を参照すれば、 １つの基地局では一般的に幾つかの周波数帯域にかけてマルチキャリアが送信されて受信される。例えば、基地局３０５で中心周波数がｆ１のキャリア３１５と中心周波数がｆ３(３１０)のキャリアが送信される時、従来には１つの端末が上記２つのキャリアのうちのいずれか１つのキャリアを利用してデータを送受信した。しかし、キャリアアグリゲーション能力を持っているＵＥは同時に幾つかのキャリアからデータを送受信することができる。基地局３０５は、キャリアアグリゲーション能力を持っている端末機３３０に対しては状況によってより多いキャリアを割り当てることによって上記端末機３３０のデータ受信レートを高めることができる。
【００３０】
伝統的な意味で１つの基地局で送信されて受信される１つのダウンリンクキャリアと１つのアップリンクキャリアが１つのセルを構成する時、キャリアアグリゲーションとは、端末機が同時に幾つかのセルを介してデータを送受信することで理解される。これを介して最大送信レートはアグリゲーションされるキャリアの数に比例して増加される。
【００３１】
以下、本発明を説明することにおいて端末が任意のダウンリンクキャリアを介してデータを受信したり任意のアップリンクキャリアを介してデータを送信することは上記キャリアを特徴づける中心周波数と周波数帯域に対応されるセルで提供する制御チャンネルとデータチャンネルを利用してデータを送受信することと同一の意味を有する。また、以下、本発明の実施形態は説明の便宜のためにＬＴＥシステムを仮定して説明されるはずだが本発明はキャリアアグリゲーションをサープトする各種無線通信システムに適用されることができる。
【００３２】
図４は、ＯＦＤＭ多重化方式を適用した３ＧＰＰ ＬＴＥシステムにおけるアップリンクタイミング同期化手続きの必要性及び役目を示す。
【００３３】
図４を参照すれば、ＵＥ１は、ｅＮＢと近く位置している端末機を現わし、ＵＥ２は、ｅＮＢから遠く離れている端末機を現わす。Ｔ_ｐｒｏ１は上記ＵＥ１までのラジオ送信における伝播遅延時間(Ｐｒｏｐａｇａｔｉｏｎ ｄｅｌａｙ ｔｉｍｅ)を現わして、Ｔ_ｐｒｏ２は上記ＵＥ２までのラジオ送信における伝播遅延時間を現わす。
【００３４】
図４に示したように、ＵＥ１がＵＥ２に比べてｅＮＢと近く位置しているから相対的に小さな伝播遅延時間を有することを分かる(Ｔ_ｐｒｏ１は０。３３３ｕｓ、Ｔ_ｐｒｏ２は３。３３ｕｓを示す)。
【００３５】
図４のｅＮＢの１つのセルで上記ＵＥ１とＵＥ２をパワーオン(Ｐｏｗｅｒ ｏｎ)をする際、或いは上記ＵＥ１とＵＥ２がアイドル(Ｉｄｌｅ)モードにある際、上記ＵＥ１のアップリンクタイミング同期化とＵＥ２のアップリンクタイミング同期化、及びｅＮＢが検出(Ｄｅｔｅｃｔｉｏｎ)するセル内の端末機のアップリンクタイミング同期化が当たらない。
【００３６】
４０１は、ＵＥ１のＯＦＤＭシンボル(Ｓｙｍｂｏｌ)アップリンク送信に対するタイミング同期化を現わし、４０３はＵＥ２のＯＦＤＭシンボルアップリンク送信に対するタイミング同期化を現わす。ＵＥ１とＵＥ２のアップリンク送信の伝播遅延時間を考慮すれば、上記アップリンクＯＦＤＭシンボルを受信するｅＮＢにおけるタイミングは、４０８、４０９と同一である。
【００３７】
すなわち、４０１のＵＥ１のアップリンクシンボルは伝播遅延時間をもって４０７のタイミングをもってｅＮＢに受信されて、４０３のＵＥ２のアップリンク送信は伝播遅延時間をもって４０９のタイミングをもってｅＮＢに受信される。図４に示されたように、４０７、４０９はまだＵＥ１、ＵＥ２に対してアップリンクタイミング同期化を合わせる前であるので、ｅＮＢがアップリンクＯＦＤＭシンボルを受信してデコーディングする開始タイミングである４０５と、ＵＥ１からのＯＦＤＭシンボルを受信するタイミングである４０７、及びＵＥ２からのＯＦＤＭシンボルを受信するタイミングである４０９がそれぞれ相違することを確認することができる。
【００３８】
よって、ＵＥ１とＵＥ２から送信されるアップリンクシンボルは直交性(Ｏｒｔｈｏｇｏｎａｌｉｔｙ)を有しないので互いに干渉(Ｉｎｔｅｒｆｅｒｅｎｃｅ)で作用して、ｅＮＢは上記干渉４０５とずれる４０７、４０９のアップリンクシンボル受信タイミングにより４０１、４０３のＵＥ１、ＵＥ２から送信されるアップリンクシンボルを成功的にデコーディング(Ｄｅｃｏｄｉｎｇ)することができない問題が生ずる。
【００３９】
アップリンクタイミング同期化手続きは、ＵＥ１、ＵＥ２、ｅＮＢのアップリンクシンボル受信タイミングを同一に合わせる過程であり、上記アップリンクタイミング同期化手続きを終了すると、４１１、４１３、４１５のようにｅＮＢがアップリンクＯＦＤＭシンボルを受信してデコーディングする開始タイミング、 ＵＥ1からのアップリンクＯＦＤＭシンボルを受信するタイミング、ＵＥ２からのアップリンクＯＦＤＭシンボルを受信するタイミングを合わせる。
【００４０】
アップリンクタイミング同期化手続きにおいて、ｅＮＢはｍ上記端末機にタイミングアドバンス(Ｔｉｍｉｎｇ Ａｄｖａｎｃｅ、以下、「ＴＡ 情報」と記す)情報を送信してどの位のタイミングを調整すれば良いかに対する情報を通知する。
【００４１】
この際、ＴＡ情報はｅＮＢがタイミングアドバンスコマンドＭＡＣ Ｃｏｎｔｒｏｌ Ｅｌｅｍｅｎｔ(Ｔｉｍｉｎｇ Ａ ｄｖａｎｃｅ Ｃｏｍｍａｎｄ、以下、「ＴＡＣ ＭＡＣ ＣＥ」と記す)を介して送信したり、或いは初期アクセスのために端末機が送信したランダムアクセスプリアンブルに対する応答メッセージ(Ｒａｎｄｏｍ Ａｃｃｅｓｓ Ｒｅｓｐｏｎｓｅ、以下、「ＲＡＲ」と記す)を通じても送信することができる。
【００４２】
端末機は、上記ＴＡ情報でアップリンク送信の時点を調整することができる。上記ＴＡ情報を受信した端末は、タイム調整タイマー(ｔｉｍｅ Ａｌｉｇｎｍｅｎｔ Ｔｉｍｅｒ、以下、「ＴＡＴ」と記す)を開始して、ＴＡ情報を以後に追加受信する場合などに上記ＴＡＴを再開始して、上記ＴＡＴが一定時間を経て満了した場合、これ以上基地局から受けたＴＡ情報が有効ではないと判定して当該のｅＮＢとのアップリンク通信を中断する。
【００４３】
上記のような方法で上記タイミングを合わせるようになれば、ＵＥ１とＵＥ２から送信されるアップリンクシンボルは直交性を維持することができ、ｅＮＢは４０１、４０３のＵＥ１、ＵＥ２から送信されるアップリンクシンボルを成功的にデコーディングすることができる。
【００４４】
図５は、 キャリアアグリゲーションをサポートするシステムでプライマリキャリアとセカンダリキャリアの間の装置位置が相違する場合を説明するための図面である。
【００４５】
図５を参照すれば、Ｆ１周波数帯域５０５を用いるマクロ基地局５０１の周りにＦ２周波数帯域５０７を用いるリモートラジオヘッド(Ｒｅｍｏｔｅ Ｒａｄｉｏ Ｈｅａｄ：ＲＲＨ)５０３が分布している。もし、端末機がマクロ基地局とリモートラジオヘッドを同時に用いる場合、或いはリモートラジオヘッド近く位置する場合にリモートラジオヘッドで信号を送信する時は、距離が近いから、少し遅く送信しても信号が適切な時点に到逹することができるが、マクロ基地局で信号を送信する時は、距離が遠いから、少し早く送信すると信号が適切な時点に到逹することができる。すなわち、１つの端末内でキャリアアグリゲーションを用いる場合に、図４に説明したように複数個のアップリンクタイミングを合わせるべきである。
【００４６】
このために本発明で基地局は類似のアップリンクタイミングを有するキャリアに対してグループで結んで管理する。これをタイミングアドバンスグループ(Ｔｉｍｉｎｇ Ａｄｖａｎｃｅ Ｇｒｏｕｐ、ＴＡＧ)と称する。
【００４７】
例えば、１つのＰＣｅｌｌと３つのＳＣｅｌｌ Ａ、Ｂ、Ｃが存在する場合に、ＰＣｅｌｌとＳＣｅｌｌＡが類似のアップリンクタイミングを持つ場合、これを１つのグループ１で、ＳＣｅｌｌＢとＳＣｅｌｌＣをグループ２で結んで管理すればよい。
【００４８】
すなわち、グループ１に対して基地局でＴＡＣ ＭＡＣ ＣＥを送信してアップリンクタイミングを調整をコマンドすると、端末は当該のＰＣｅｌｌとＳＣｅｌｌ Ａに対して全部上記ＴＡＣ ＭＡＣ ＣＥに含まれた情報に応じてアップリンクタイミングを調整する。一方、ＰＣｅｌｌが含まれたＴＡＧをＰＴＡＧと称し、ＳＣｅｌｌが含まれたＴＡＧをＳＴＡＧと称する。
【００４９】
上記のように複数個のアップリンクタイミングを合わせる時、それぞれのアップリンクタイミング情報、すなわちＴＡ情報に対して基準(ｒｅｆｅｒｅｎｃｅ)ダウンリンクセルを決める必要がある。例えば、図５で端末がマクロ基地局とリモートラジオヘッドを同時に用いる場合、さらに、リモートラジオヘッド近くに位置する場合、リモートラジオヘッドから受信されるダウンリンク信号は、マクロ基地局から受信されるダウンリンク信号に比べて相対的に早く到着する。
【００５０】
そして基地局で端末のアップリンクタイミングを調整するためにＴＡ情報を送信した場合、如何なる信号を基準でタイミングを調整すべきであるかを定義する必要がある。すなわち、ＳＴＡＧに属したＳＣｅｌｌのアップリンク送信の際、基地局からＴＡ情報を受信した時、上記ＴＡ情報の基準になるダウンリンクタイミング基準セルをどのように選定／設定してアップリンク送信タイミングを調整することかの問題が発生する。
【００５１】
それだけでなく、上記 ＴＡ 情報を受信した時、当該のＴＡ情報をどんなＴＡＧのアップリンク送信に適用することなのかに対する問題も発生する。そして、上述した例のように複数個のＴＡＧを持って複数個のＴＡ設定情報が必要な場合、各ＴＡＧ別で分けて一つ一つ設定すれば、ＴＡＧ個数が多い場合にＴＡ情報送信が遅くなるＴＡＧに対してはアップリンク送信までの送信遅延が大きくなることができるという問題点が発生する。
【００５２】
上記問題点を解決するための発明内容が図６に記述される。図６は本発明で提案する基地局と端末機の間のシグナリングフローと端末機動作に対する図面である。
【００５３】
図６を参照すれば、本例示図面で基地局６０３、６０５、６０７は３個のセルを持ち、端末は６０７に接続されている状態である。すなわち、６０７基地局が端末のＰＣｅｌｌである。(ＰＣｅｌｌは上記説明したように上記端末のプライマリキャリアを意味する)基地局は端末がキャリアアグリゲーションが可能であるという事実を認識して、上記端末に同一ＳＴＡＧ １に属するＳＣｅｌｌ 1(６０３)とＳＣｅｌｌ ２(６０５)を無線資源制御(Ｒａｄｉｏ Ｒｅｓｏｕｒｃｅ Ｃｏｎｔｒｏｌ、以下、「ＲＲＣ」と記す)階層のメッセージを用いて上記端末に設定したＳＣｅｌｌ(本例示図面ではＳＣｅｌｌ 1とＳＣｅｌｌ ２)の情報とＳＴＡＧ設定情報(本例示図面ではＳＣｅｌｌ 1とＳＣｅｌｌ ２を結んでＳＴＡＧ １と設定)、及びＴＡＧのＴＡＴ値を設定する(６１１)。
【００５４】
上記ＲＲＣ階層のメッセージは、ＲＲＣ Ｃｏｎｎｅｃｔｉｏｎ Ｒｅｃｏｎｆｉｇｕｒａｔｉｏｎメッセージを用いることができる。また、本例示図面で、上記ＲＲＣ階層のメッセージ内容にＳＣｅｌｌ １のランダムアクセスチャンネル(Ｒａｎｄｏｍ Ａｃｃｅｓｓ Ｃｈａｎｎｅｌ、以下、「ＲＡＣＨ」と記す)設定情報を含み、ＳＣｅｌｌ ２に対してはＲＡＣＨ設定情報を含まないこともある。
【００５５】
基地局が今後 ＳＣｅｌｌ 1のランダムアクセスチャンネルを通じてランダムアクセスプリアンブル送信を端末機にコマンドすると、上記端末機は上記ＳＣｅｌｌ 1に含まれているランダムアクセスチャンネル設定情報を利用してランダムアクセスプリアンブルを送信し、ＳＣｅｌｌ 1に設定されたランダムアクセスチャンネルでランダムアクセスプリアンブルを送信したので、以後受信するＳＴＡＧ1のためのＴＡ情報は上記ランダムアクセスプリアンブルを送信したＳＣｅｌｌ 1 ダウンリンクタイミングに適用してＳＣｅｌｌ 1のアップリンク送信だけでなくＳＣｅｌｌ ２アップリンク送信タイミングを調整する。
【００５６】
すなわち、１つのＳＴＡＧに含まれているＳＣｅｌｌ(上記の例でＳＣｅｌｌ 1とＳＣｅｌｌ ２)に対するアップリンクタイミングを調整するための基準ダウンリンクタイミングはランダムアクセスチャンネル構成情報を持ってランダムアクセスを実行したＳＣｅｌｌ 1のダウンリンクタイミングで設定する。上記ＲＲＣ階層のメッセージを受信した端末はＲＲＣ 階層確認メッセージを送信する(６１３)。上記ＲＲＣ階層確認メッセージは ＲＲＣ Ｃｏｎｎｅｃｔｉｏｎ Ｒｅｃｏｎｆｉｇｕｒａｔｉｏｎ Ｃｏｍｐｌｅｔｅメッセージを用いることができる。
【００５７】
以後、基地局は追加したＳＣｅｌｌ １、２を活性化させるためにＡｃｔｉｖａｔｉｏｎ／ｄｅａｃｔｉｖａｔｉｏｎ ＭＡＣ Ｃｏｎｔｒｏｌ Ｅｌｅｍｅｎｔ(以下、「Ａｃｔｉｖａｔｉｏｎ／ｄｅａｃｔｉｖａｔｉｏｎ ＭＡＣ ＣＥ」と記す)を送信する(６１５)。また、基地局はＰＤＣＣＨオーダーを送信し、上記端末にとって特定セル(本例示図面ではＳＣｅｌｌ 1に該当)でランダムアクセスプリアンブルを送信するようにコマンドする(６１７)。
【００５８】
これを受信した端末はコマンドを受けたセル(本例示図面ではＳＣｅｌｌ １に該当)でランダムアクセスプリアンブルを送信する(６１９)。これを受信した基地局は上記ランダムアクセスチャンネルが設定されており、ランダムアクセスプリアンブルを端末機から受信したセル(本例示図面ではＳＣｅｌｌ 1に該当)のダウンリンク信号を基準としてタイミングアドバンス(Ｔｉｍｉｎｇ Ａｄｖａｎｃｅ、以下、「ＴＡ」と記す)情報を含む本発明で提案するランダムアクセス応答(Ｒａｎｄｏｍ Ａｃｅｓｓ Ｒｅｓｐｏｎｓｅ、以下、「ＲＡＲ」と記す)を送信する(６２１)。
【００５９】
上記ＲＡＲメッセージにはＴＡＧ識別子(ＴＡＧ ｉｄｅｎｔｉｆｉｅｒ、以下、「ＴＡＧ ＩＤ」と記す)を含み、どのようなＴＡＧに対するアップリンクタイミングを調整すべきであるかに対する情報が含まれることができ、或いは複数個のＴＡＧのそれぞれのＴＡ情報が含まれば良い。詳しいフォーマットは図９の説明で後述する。上記ＲＡＲメッセージを受信した端末はＴＡＧ ＩＤとＴＡ情報、或いは複数個のＴＡＧ ＩＤ別でＴＡ情報を確認して、当該のＴＡＧ ＩＤに属したセルのアップリンク送信のタイミング情報を調整する (６２３)。
【００６０】
また、以後、６１７、６１９、６２１段階のように基地局が追加的に端末にプリアンブル送信をコマンドし、端末がプリアンブルを送信する場合に、本発明で提案する新しい上記プリアンブルに対する応答メッセージ(ＲＡＲ)を通じて、或いは本発明で提案する新しいＴＡＣ ＭＡＣ ＣＥメッセージを通じて基地局は特定ＴＡＧに属したセルのアップリンク送信のためのタイミング、或いは複数個のＴＡＧに属したそれぞれのセルのアップリンクタイミングを調整することができる。
【００６１】
すなわち、本例示図面でＰＴＡＧとＳＴＡＧ 1があるのに、本発明で提案する新しいＲＡＲメッセージでＴＡＧ ＩＤ(ＰＴＡＧ或いはＳＴＡＧ 1)を含ませたり、或いはＴＡＣ ＭＡＣ ＣＥメッセージでＴＡＧ ＩＤ(ＰＴＡＧ或いはＳＴＡＧ 1)を含ませて当該のＴＡＧに属したセルのアップリンク送信のためのタイミングを調整することができる。上記新しいＴＡＣ ＭＡＣ ＣＥメッセージに対する詳細なフォーマットは図９の説明で後述する。
【００６２】
図７は、本発明が適用された端末機動作フローチャートである。
【００６３】
図７で、基地局が端末機にキャリアアグリゲーション関連メッセージを送信して端末機が用いることができるキャリアに対する情報及び如何なるキャリア同士の同一のタイミングアドバンスを用いることができるかに対するキャリアグループ情報などを設定する(７０３)。以後基地局から特定セルの活性化コマンドを受信する(７０４)。この時、使用されるメッセージでＡｃｔｉｖａｔｉｏｎ／ｄｅａｃｔｉｖａｔｉｏｎ ＭＡＣ ＣＥメッセージが使用される。以後、基地局は特定セル(ＰＣｅｌｌ或いはＳＣｅｌｌ)でプリアンブルの送信をコマンドするＰＤＣＣＨオーダーを送信する(７０５)。端末は７０５段階で指示を受けたセルでランダムアクセスプリアンブルを送信する(７０７)。
【００６４】
以後、基地局からランダムアクセスプリアンブルに対する応答メッセージ(ＲＡＲメッセージ)を受信する(７０９)。本発明では、同一時点に他のセルを通じて同一のランダムアクセスプリアンブルを送信した場合、これを区分するためで本実施形態で上記ＲＡＲメッセージにはＴＡＧ ＩＤが含まれた新規メッセージを提案し、これを用いて基地局は上記ＴＡＧ ＩＤが指示するＴＡＧに属したセルのアップリンクのタイミング調整をコマンドする。
【００６５】
すなわち、例えば、図６においてＳＣｅｌｌ 1でプリアンブル Ｎ番が送信され、同じな時点でＰＣｅｌｌのアップリンクでプリアンブル Ｎ番が送信された場合、ＲＡＲメッセージがＰＣｅｌｌを通じて送信されると、ＲＡＲメッセージがＳＣｅｌｌ 1で送信されたプリアンブル Ｎ番に対することであるか、ＰＣｅｌｌで送信されたプリアンブルＮ番に対するか曖昧になる。このために、本発明ではＲＡＲメッセージに ＴＡＧ ＩＤ(上記例示でＰＴＡＧ或いはＳＴＡＧ 1)に対する情報を追加する。すなわち、上記例示でＲＡＲ情報にタイミングアドバンス情報と共にＴＡＧ ＩＤでＳＴＡＧ 1を指示する場合、ＳＴＡＧ 1のキャリアに対して上記ＲＡＲ情報のタイミングアドバンス情報を適用し、ＳＣｅｌｌ 1のダウンリンクを基準でアップリンクタイミングを調整する。
【００６６】
一方、本実施形態では省略するが、ＲＡＲの他の実施形態で上記ＲＡＲメッセージに別途のＴＡＧ ＩＤ無しに複数個のＴＡ情報が含まれる場合もあり、この場合はＲＡＲメッセージの各ＴＡ情報に応じて各ＴＡＧに該当するセルのアップリンクタイミングの調整をコマンドする。すなわち、基地局が各ＴＡＧ別で相対的なアップリンクタイミング情報が認識するという仮定下に、上記ＲＡＲメッセージに、ＴＡＧ識別子を別に追加せず、各ＴＡＧ別でタイミングアドバンス情報を共に含んで送信して端末にとって各ＴＡＧのＴＡ情報を送信して各ＴＡＧに該当するセルのアップリンクタイミングの調整をコマンドすることを提案する。
【００６７】
例えば、上記例示にグループ 1とグループ２があり、グループ 1とグループ２のタイミングアドバンス差Δを基地局がもう分かっている場合、グループ２からプリアンブルが受信された時、ＲＡＲメッセージにタイミングアドバンス情報で、グループ1に対するタイミングアドバンス情報(例えば、ＴＡ２−Δ)、グループ２に対するタイミングアドバンス情報(例えば、ＴＡ２)を共に送信する方案である。
【００６８】
上記ＲＡＲを受信した端末は、上記７０７段階でランダムアクセスプリアンブルを送信したセルのダウンリンクを基準と設定し、７０９段階のＲＡＲに指示を受けたＴＡＧに属したセルのアップリンクの送信タイミングを設定する方法を提案する。
【００６９】
すなわち、上記図６の例示図面でＳＴＡＧ 1の場合、ＳＣｅｌｌ 1とＳＣｅｌｌ ２のうち、基地局がランダムアクセスのためのランダムアクセスチャンネル(Ｒａｎｄｏｍ Ａｃｃｅｓｓ Ｃｈａｎｎｅｌ、以下、「ＲＡＣＨ」と記す)構成情報が設定されているダウンリンクセルのうちで１つを選択して(図６の例示図面ではＳＣｅｌｌ 1に該当)、ＳＣｅｌｌ 1のランダムアクセスチャンネルを通じてランダムアクセスプリアンブル送信を端末機にコマンドすることができる。
【００７０】
以後上記端末機は、上記ＳＣｅｌｌ 1に含まれているランダムアクセスチャンネル設定情報を利用してランダムアクセスプリアンブルを送信し、ＳＣｅｌｌ 1に設定されたランダムアクセスチャンネルでランダムアクセスプリアンブルを送信したので、この後受信するＳＴＡＧ1のためのＴＡ情報は上記ランダムアクセスプリアンブルを送信したＳＣｅｌｌ 1 ダウンリンクタイミングに適用してＳＣｅｌｌ 1のアップリンク送信だけでなく ＳＣｅｌｌ ２アップリンク送信タイミングを調整する。
【００７１】
すなわち、１つのＳＴＡＧに含まれているＳＣｅｌｌ(図６のＳＣｅｌｌ １とＳＣｅｌｌ ２)に対するアップリンクタイミングを調整するための基準ダウンリンクタイミングはランダムアクセスチャンネル構成情報を持ってランダムアクセスを実行したＳＣｅｌｌ 1のダウンリンクタイミングと設定してアップリンクタイミングを設定する方法を提案する。
【００７２】
以後、端末は該当のＴＡＧに対してＴＡＴを開始して(７１３)、アップリンク同期を合わせたＴＡＧに属したセルでアップリンクデータ送信を実行する(７１５)。
【００７３】
以後、当該のＴＡＧに対するＲＡＲ或いはＴＡＣ ＭＡＣ ＣＥを受信した場合(７１７)、(７１１)段階と同一に、当該のＴＡＧでＲＡＣＨが設定されたＳＣｅｌｌのうち、最も最近プリアンブル送信を成功したセルのダウンリンクを基準セルと設定して、上記ＲＡＲ或いはＴＡＣ ＭＡＣ ＣＥに含まれたＴＡ情報を活用して、上記ダウンリンク基準セルを基づいてＴＡＧに属したセルに対してアップリンクタイミング情報を調整する(７１９)。調整した以後、当該のＴＡＧに対するＴＡＴを更に開始して(７１３)、当該のセルにおけるアップリンクデータ送信を実行する(７１５)。
【００７４】
もし、当該のＴＡＧに対するＲＡＲ或いはＴＡＣ ＭＡＣ ＣＥを受信することができなかった場合、当該のＴＡＧのＴＡＴが満了したのかを確認して、もし満了した場合は当該のＴＡＧに対する動作を終了して(７２３)、満了しない場合には、続いて当該のセルにおけるアップリンクデータ送信を実行する(７１５)。
【００７５】
図８は本発明が適用された基地局動作フローチャートである。
【００７６】
基地局はキャリアアグリゲーションが可能な端末にＳＣｅｌｌを、ＲＡＣＨ設定情報を含むＳＴＡＧ情報と共に設定する(８０３)。以後、設定したＳＣｅｌｌを活性化させるためにＡｃｔｉｖａｔｉｏｎ／ｄｅａｃｔｉｖａｔｉｏｎ ＭＡＣ ＣＥを通じて特定ＳＴＡＧに属しているＳＣｅｌｌの活性化コマンドをして(８０５)、上記活性化したＳＣｅｌｌのアップリンクタイミング調整のために、上記端末にとってプリアンブルを送信するようにＰＤＣＣＨオーダー送信してコマンドする(８０７)。
【００７７】
上記コマンドに従って上記端末がプリアンブルを送信すると、基地局は当該のプリアンブルを受信して、図６及び図７で説明した方法によって選択したダウンリンクセル信号を基準でＴＡ情報を生成し、上記ＴＡ情報を含むＲＡＲメッセージを送信する(８０９)。この時、ＲＡＲメッセージには上記活性化したＳＣｅｌｌが属したＳＴＡＧのＩＤを含んで送信することもでき、或いは上記ＳＴＡＧを含む他のＳＴＡＧ及びＰＴＡＧのＴＡ情報を共に含んで送信することもできる。以後、当該の端末の該ＴＡＧでアップリンク資源割り当ててデータ受信する(８１１)。
【００７８】
以後、基地局が上記活性化したＳＣｅｌｌから送信される信号のタイミングを追加的に調整が必要であると判断される場合(８１３)、ＰＤＣＣＨオーダーを更に当該の端末に送信しＲＡＲメッセージを送信したり、或いはＴＡＣ ＭＡＣ ＣＥメッセージを使用して調整する(８１５)。
【００７９】
上記ＴＡＣ ＭＡＣ ＣＥには本発明で提案する上記ＲＡＲと同じくＴＡＧ ＩＤとＴＡ 情報を含む特定ＴＡＧに対してアップリンクタイミングを修正することができる。
【００８０】
図９は提案するＲＡＲとＴＡＣ ＭＡＣ ＣＥフォーマット図面である。
【００８１】
図９ａは既存に定義されているＲＡＲフォーマットである。本フォーマットで基地局はＲＡＲメッセージを通じてＴｉｍｉｎｇ Ａｄｖａｎｃｅ Ｃｏｍｍａｎｄでアップリンクタイミングを調整して(１１ビット)、ＵＬ ｇｒａｎｔでＲＡＲ以後メッセージの割り当て位置を設定して(２０ビット)、Ｔｅｍｐｏｒａｒｙ Ｃ−ＲＮＴＩで当該のセルに初めて接続する端末に識別子を割り当てることができる(１６ビット)。
【００８２】
図９ｂは、本発明で提案するＲＡＲフォーマットの実施形態1である。本実施形態で既存のＲＡＲフォーマットで予備で残したＲフィールド代わりにＴＡＧ ＩＤというフィールドを新たに取り入れて、当該のビットが０であればＰＴＡＧ、1であればＳＴＡＧ 1に該当することを通知する。
【００８３】
図９ｃは、本発明で提案するＲＡＲフォーマットの実施形態２である。本実施形態でＲＡＲフォーマットにはＦｌａｇというフィールドがあり、０の場合には既存のＲＡＲフォーマット(図９−０)をそのまま用いるが、1の場合には最大４個までの ＴＡＧに対するＴＡ情報を送信する。
【００８４】
図９ｄは、既存に規格に定義されているＴＡＣ ＭＡＣ ＣＥのフォーマットである。この場合、６ビットのＴｉｍｉｎｇ Ａｄｖａｎｃｅ Ｃｏｍｍａｎｄでアップリンクタイミングを調整をコマンドする。
【００８５】
図９ｃは本発明で提案するＴＡＣ ＭＡＣ ＣＥのフォーマットの実施形態1である。本実施形態で既存のＴＡＣ ＭＡＣ ＣＥのフォーマットで予備で残した２ビットのＲフィールド代わりにＴＡＧ ＩＤを取り入れて、００の場合、ＰＴＡＧ、０１の場合ＳＴＡＧ 1、１０の場合、ＳＴＡＧ２、11の場合、ＳＴＡＧ３を指示し、当該のＴＡＧ ＩＤが指示するＴＡＧに対してアップリンクタイミングを調整する。
【００８６】
図１０は、本発明が適用された端末の装置図面である。端末は上位階層１００５とデータなどを送受信して、制御メッセージ処理部１００７を介して制御メッセージを送受信して、送信の際、制御部１００９の制御によって多重化装置１００３を介して多重化後送信機を介してデータを送信して１００１、受信の際、制御部１００９の制御によって受信機で物理信号を受信した後１００１、逆多重化装置１００３で受信信号を逆多重化して、それぞれメッセージ情報によって上位階層１００５、或いは制御メッセージ処理部１００７へ伝達する。
【００８７】
本発明でＲＲＣ階層メッセージでキャリアアグリゲーション関連設定メッセージを制御メッセージ処理部１００７が受信すると、キャリアアグリゲーション動作処理部１０１１が上記図６で説明した方法のうち、いずれか１つのセルをダウンリンクタイミング基準セルで選定するかを決める。 以後、基地局からプリアンブル送信コマンドを受けると、制御部 １００９がプリアンブル送信を実行をコマンドし、以後上記図６で提案した方法で作られたＲＡＲメッセージ(図９参照)を受信して、ＲＡＲにＴＡＧ ＩＤとＴＡが含まれた場合、当該のＴＡＧ ＩＤに該当するＴＡＧのアップリンクタイミングを調整して、複数個のＴＡ 情報が含まれた場合、当該のＴＡＧのアップリンクタイミング情報をそれぞれ一度に調整する。同じく基地局からＴＡＣ ＭＡＣ ＣＥを受信する場合にもＴＡＣ ＭＡＣ ＣＥに含まれた情報によって当該のＴＡＧのアップリンクタイミングを調整する。
【００８８】
図１１は、本発明が適用された基地局の装置図面である。端末は上位階層１１０５とデータ等を送受信し、制御メッセージ処理部１１０７を介して制御メッセージを送受信して、送信の際、制御部１１０９の制御によって多重化装置１１０３を介して多重化後送信機を介してデータを送信して１１０１、受信の際、制御部１１０９の制御によって受信機で物理信号を受信した後１１０１、逆多重化装置１１０３で受信信号を逆多重化して、それぞれメッセージ情報に応じて上位階層１１０５、或いは制御メッセージ処理部１１０７へ伝達する。
【００８９】
本発明でキャリアアグリゲーション動作処理部１１１１が特定端末に特定ＳＣｅｌｌ 及びＳＴＡＧを設定するためにＲＲＣ階層メッセージでキャリアアグリゲーション関連設定メッセージを制御メッセージ処理部１１０７が生成して送信する。また、以後、上記特定ＳＣｅｌｌを活性化するためにＡｃｔｉｖａｔｉｏｎ／ｄｅａｃｔｉｖａｔｉｏｎ ＭＡＣ ＣＥを生成して送信し、上記端末に当該のＳＣｅｌｌに対するアップリンク同期を合わせるためにＰＤＣＣＨオーダーを送信しプリアンブル送信をコマンドする。
【００９０】
以後、コマンドしたプリアンブルを受信すると、上記図６で提案した方法のうち、いずれか１つ方法でダウンリンク基準信号を決めて、これを基準でＴＡ情報を生成して、上記 ＴＡ情報を含むＲＡＲメッセージ(図９参照)を生成、送信する。また、基地局が上記端末が追加的なアップリンクタイミング調整が必要であると判断される場合、本発明で提案するＴＡＣ ＭＡＣ ＣＥを生成して上記端末に送信し、上記端末にとって当該のＴＡＧのアップリンクタイミングを調整する。
【００９１】
提案する方式を使用する場合、キャリアアグリゲーションをサポートする複数個のアップリンクタイミングを管理するシステムでダウンリンクタイミング基準セルを明確に定義して端末動作の誤動作を阻むことができ、アップリンクタイミング調整命令が特定 ＴＡＧに該当する情報なのを確認して動作することで正確な動作を実行することができる。
【００９２】
本発明の詳細な説明では具体的な実施形態に関して説明したが、本発明の範囲から外れない限度内でいろいろ変形し得ることは勿論である。よって、本発明の範囲は説明された実施形態に限定するものではなく、後述の特許請求の範囲だけではなくこの特許請求の範囲と均等なものなどによって決まるべきである。
【符号の説明】
【００９３】
１０５、１１０、１１５、１２０  次世代基地局
１０５、１１０、１１５、１２０  基地局
１３５  ユーザ端末
３０５  基地局
３１５  キャリア
３３０  端末機
５０１  マクロ基地局
５０３  リモートラジオヘッド
６０３、６０５、６０７  基地局
１００３  多重化装置
１００３  逆多重化装置
１００７  制御メッセージ処理部
１００９  制御部
１０１１  キャリアアグリゲーション動作処理部
１１０３  多重化装置
１１０３  逆多重化装置
１１０７  制御メッセージ処理部
１１０９  制御部
１１１１  キャリアアグリゲーション動作処理部
【図１】
2014514840.tif 000003
【図２】
2014514840.tif 000004
【図９ａ】
2014514840.tif 000005
【図９ｂ】
2014514840.tif 000006
【図９ｃ】
2014514840.tif 000007
【図９ｄ】
2014514840.tif 000008
【図９ｅ】
2014514840.tif 000009
【図３】
2014514840.tif 000010
【図４】
2014514840.tif 000011
【図５】
2014514840.tif 000012
【図６】
2014514840.tif 000013
【図７】
2014514840.tif 000014
【図８】
2014514840.tif 000015
【図１０】
2014514840.tif 000016
【図１１】
2014514840.tif 000017
【国際調査報告】
2014514840.tif 000018
2014514840.tif 000019